(57)【要約】【課題】表示装置の表示面積を増大させることなく、立体的且つ多様な表示内容を表示して遊技内容、演出にバリエーションを持たせ、充実度を高める。【解決手段】遊技盤３上を異なった移動経路に沿って移動可能に支持された複数個の表示装置７Ａ、７Ｂと、各可動表示装置を各移動経路に沿って進退移動させる駆動機構３０と、を備え、各可動表示装置は、互いに近接した近接位置と、離反した離反位置との間を進退自在に構成され、更に可動表示装置の離反時にその後方に配置された他の表示装置６０が視認できるように構成している。【選択図】図２
2010029372.tif 000002
【特許請求の範囲】
【請求項１】
遊技盤近傍を異なった移動経路に沿って夫々移動可能に支持された複数個の表示装置と、該各可動表示装置を前記各移動経路に沿って進退移動させる駆動機構と、を備え、
前記各可動表示装置は、互いに近接した近接位置と、離反した離反位置との間を進退自在に構成されており、
前記各可動表示装置が近接位置にあるときにはその背面側に隠蔽され、離反位置にあるときには露出される他の表示装置を備えたことを特徴とする分割型可動画像表示装置。
【請求項２】
離反位置にある前記各可動表示装置と、前記他の表示装置とによってワイド画面を形成することを特徴とする請求項１に記載の分割型可動画像表示装置。
【請求項３】
前記各可動表示装置は、横方向へ進退自在に支持され、該各可動表示装置は対向する端縁同志を近接させた近接位置と、横方向に離反した離反位置との間を進退自在に構成されていることを特徴とする請求項１、又は２に記載の分割型可動画像表示装置。
【請求項４】
前記各可動表示装置は、上下方向へ進退自在に支持され、該各可動表示装置は対向する端縁同志を近接させた近接位置と、上下方向に離反した離反位置との間を進退自在に構成されていることを特徴とする請求項１、又は２に記載の分割型可動画像表示装置。
【請求項５】
密集した近接位置と、該近接位置から放射方向に離反した離反位置との間を進退自在に構成された少なくとも３個の表示装置から構成されていることを特徴とする請求項１、又は２に記載の分割型可動画像表示装置。
【請求項６】
請求項１乃至５の何れか一項に記載の分割型可動画像表示装置を備えたことを特徴とする遊技盤。
【請求項７】
請求項６に記載の遊技盤を備えたことを特徴とする遊技機。
【発明の詳細な説明】
【技術分野】
【０００１】
本発明は、従来、分離不能な一枚のディスプレイにより構成されていた画像表示装置を、物理的に複数枚の表示装置に分離し、且つ個々の表示装置を個別に進退動作させることにより、ディスプレイの表示内容と連動した変化に富んだ演出を実現できるようにした分割型可動画像表示装置、遊技盤、及び遊技機に関する。
【背景技術】
【０００２】
パチンコ遊技機、スロットマシン等の各種遊技機においては、遊技盤面に設けたＬＣＤ等の画像表示装置に遊技内容と関わりのある絵柄、文字、符号等の種々の画像を表示して、遊技状況を表示したり、演出効果を発揮させるようにしている。
特許文献１乃至４には、物理的に分離不能、且つ位置固定された一枚の画像表示装置の表示面を複数の区画に分割し、各区画内に異なった画像を表示することによって表示内容の多様化を図った遊技機が開示されている。
しかし、一枚の画像表示装置の表示面を複数の区画に分け、各区画上に表示される画像を種々異ならせたとしても、所詮は画像データを種々操作して平面的な同一表示面上に表示した結果に過ぎず、立体感と、多様性と意外性を有した演出を実現するための装置構成としては限界があった。また、制御プログラム等の装置構成が複雑化してコストアップするという問題もあった。
【特許文献１】特開２００４−２５４９３７公報
【特許文献２】特開２００５−２９６２０２公報
【特許文献３】特開２００７−０６１４５７公報
【特許文献４】特開２００７−１９０１４９公報
【発明の開示】
【発明が解決しようとする課題】
【０００３】
従来、遊技機等に装備される画像表示装置は位置が固定されており、物理的に分割不能で、しかも面積が極限された平面状の表示面を複数の区画に分割するなどして、表示内容の多様化、意外性を実現していた。
しかし、平面状の同一表示面を複数の区画に分割し、各区画内に表出させる画像内容を種々変化させる場合には、立体感、多様性に乏しく、そのバリエーションに限界があった。
本発明は上記に鑑みてなされたものであり、画像表示装置の表示面積を増大させることなく、立体的且つ多様な表示内容を表示して遊技内容、演出にバリエーションを持たせ、充実度を高めることができる分割型可動画像表示装置、遊技盤、及びパチンコ遊技機を提供することを目的としている。
また、複数に分割された可動表示装置を個別、或いは連動して動作させるばかりでなく、可動表示装置間の間隙奥部に他の表示装置を配置し、各表示装置に表示された画像によって多様な演出を実現することを可能としている。
【課題を解決するための手段】
【０００４】
上記目的を達成するため、請求項１の発明に係る分割型可動画像表示装置は、遊技盤近傍を異なった移動経路に沿って夫々移動可能に支持された複数個の表示装置と、該各可動表示装置を前記各移動経路に沿って進退移動させる駆動機構と、を備え、前記各可動表示装置は、互いに近接した近接位置と、離反した離反位置との間を進退自在に構成されており、前記各可動表示装置が近接位置にあるときにはその背面側に隠蔽され、離反位置にあるときには露出される他の表示装置を備えたことを特徴とする。
従来は、物理的に分割不能な一枚の表示装置を固定的に配置していた。また、面積が極限された平面状の表示面を複数の区画に分割し、個々の区画内に異なった画像を表示するなどして、表示内容の多様化、意外性を図っていた。しかし、平面状の同一表示面を複数の区画に分割し、各区画内に表出させる画像内容を種々変化させる場合には、立体感、多様性に乏しく、そのバリエーションに限界があった。
本発明では、近接位置と離反位置との間を移動可能に構成された複数個の表示装置を用い、且つ立体的な映像を作出可能な画像表示装置の構成としたので、従来の不具合を一挙に解決することができる。表示装置の個数、移動方向等は種々選定可能である。
更に、複数に分割された表示装置を個別、或いは連動して動作させるばかりでなく、表示装置間の間隙奥部に他の表示装置を配置し、各可動表示装置の離反時にこの他の表示装置を遊技盤前方から視認できるようにしたので、各表示装置の画面に表示された各画像のコラボレーションによって多様な演出を実現することができる。
【０００５】
請求項２の発明に係る分割型可動画像表示装置では、離反位置にある前記各可動表示装置と、前記他の表示装置とによってワイド画面を形成することを特徴とする。
拡大されたワイド画面により、演出上の効果を更に高めることが可能となる。
請求項３の発明に係る分割型可動画像表示装置では、前記各可動表示装置は、横方向へ進退自在に支持され、該各可動表示装置は対向する端縁同志を近接させた近接位置と、横方向に離反した離反位置との間を進退自在に構成されていることを特徴とする。
請求項４の発明に係る分割型可動画像表示装置では、前記各可動表示装置は、上下方向へ進退自在に支持され、該各可動表示装置は対向する端縁同志を近接させた近接位置と、上下方向に離反した離反位置との間を進退自在に構成されていることを特徴とする。
請求項５の発明に係る分割型可動画像表示装置では、密集した近接位置と、該近接位置から放射方向に離反した離反位置との間を進退自在に構成された少なくとも３個の表示装置から構成されていることを特徴とする。
請求項６の発明に係る遊技盤は、請求項１乃至５の何れか一項に記載の分割型可動画像表示装置を備えたことを特徴とする。
請求項７の発明に係る遊技機は、請求項６に記載の遊技盤を備えたことを特徴とする。
【発明の効果】
【０００６】
本発明では、遊技盤上を異なった移動経路に沿って移動可能に支持された複数個の可動表示装置と、該各可動表示装置を前記各移動経路に沿って進退移動させる駆動機構と、を備え、前記各可動表示装置は、互いに近接した近接位置と、離反した離反位置との間を進退自在に構成されているので、表示装置の表示面積を増大させることなく、立体的且つ多様な表示内容を投影して遊技内容、演出にバリエーションを持たせ、充実度を高めることができる。
しかも、離反した表示装置間に形成される間隙内に表示装置を配置して遊技内容の展開に変化を与えることができる。
特に、複数の可動表示装置を個別、或いは連動して動作させるばかりでなく、可動表示装置間の間隙奥部に他の表示装置を配置したので、表示装置に表示された画像と、表示装置間に配置された他の表示装置上に画像との協働によって多様な演出を実現することができる。特に、パノラマ画面などのワイドスクリーンを形成することが可能となる。
【発明を実施するための最良の形態】
【０００７】
以下、本発明を図面に示した実施の形態により詳細に説明する。
図１は、本発明の実施形態に係るパチンコ遊技機の一例を示した全体正面図である。
この図に示すパチンコ遊技機１は、矩形形状の枠２を有し、この枠２の窓孔に対して裏側から遊技盤３が着脱可能に取り付けられている。
遊技盤３の前面側には、図示しないガラス枠が開閉可能に取り付けられている。また遊技盤３の下部には遊技球を貯留する受け皿部４と、受け皿部４内の遊技球を発射する発射レバー５等が設けられている。また、受け皿部４の上部には遊技機用ボタンスイッチや、遊技球の購入ボタン、購入取り消しボタンが設けられている。
遊技盤の裏面には、液晶画面、主制御基板とサブ制御基板等、遊技の進行、演出に関わる裏部品を組み付けた合成樹脂製の機構板（何れも図示せず）が開閉自在に装着されている。遊技盤３における遊技領域３ａの周囲には、発射レバー５を操作することにより発射装置から発射された遊技球を遊技領域３ａの上部に案内したり、アウト口１５に案内する外レールＲ１、及び内レールＲ２が設けられている。
遊技盤３のほぼ中央部には開口部６が設けられ、開口部６の内部には画像表示装置７が配置されている。画像表示装置７は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。
【０００８】
開口部６の下方には、画像表示装置７の特別図柄を可変表示させるための可変入賞装置８が設けられている。
開口部６の左右両側には夫々遊技盤３の盤面上を流下する遊技球を受けるステージ部９が設けられている。ステージ部９に案内された遊技球のうち、ステージ部の所定の入口に入った遊技球は、始動入賞口１１の真上に位置する出口から遊技盤面へと出て始動入賞口１１に入賞し易くなり、残りの遊技球はステージ部９上から落下し、多くの場合始動入賞口１１に入賞しない。
また、開口部６の左側には、遊技盤の右下部に配置された図示しない普通画像表示装置に表示される普通図柄を作動させるためのゲート１３が設けられている。さらに可変入賞装置８の下方には、特別遊技状態の一つである大当たり状態のときに開成状態になる開閉扉を有する大入賞口１４が設けられている。
遊技盤３には図示しない普通入賞口やアウト口１５等が設けられていると共に、風車や図示しない多数の遊技釘が突設されている。遊技釘は、遊技球の落下速度を遅くすると共に、落下方向を複雑に変化させて遊技進行上の興趣を高めている。
【０００９】
普通画像表示装置に表示される普通図柄は、１個または複数個の図柄を変動表示可能であり、普通図柄始動口としてのゲート１３が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１３を遊技球が通過したことを条件に乱数制御により普通図柄が所定態様となった場合に、可変入賞装置８に設けられた電動式チューリップから成る可動片を所定時間、開成動作するように構成されている。
画像表示装置７に表示される特別図柄は、停止図柄が予め定められた図柄の組合せ、例えば同一図柄の組合せとなった場合に大当たり状態となるように構成されている。また特別図柄は可変入賞装置８の始動入賞口、又は電動式チューリップの開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１０】
図２（ａ）及び（ｂ）は本発明の画像表示装置（分割型可動画像表示装置）７の閉止状態における概略構成を示す正面図、及び平面図であり、図２（ｃ）及び（ｄ）は開放状態における概略構成を示す正面図、及び平面図である。
本発明の特徴的な構成は、画像表示装置７を、物理的に分割状態にあり且つ夫々独立して移動可能な複数個の、本例では２個の可動表示装置７Ａ、７Ｂから構成した分割型可動画像表示装置とした点にある。即ち、本発明の画像表示装置７は、遊技盤３上を異なった移動経路に沿って移動可能に支持された複数個の可動表示装置７Ａ、７Ｂと、各可動表示装置７Ａ、７Ｂを各移動経路に沿って進退移動させる駆動機構３０（図３）と、を備え、各可動表示装置７Ａ、７Ｂは、互いに近接した近接位置と、離反した離反位置との間を進退自在に構成されている点が特徴的である。
図２（ａ）（ｂ）の状態においては、各可動表示装置７Ａ、７Ｂは近接して内側端縁を密着させることによって、恰も大面積の一枚の表示装置である如く視認されることができ、両可動表示装置の各表示面に跨った画像Ｖを投影することにより遊技者は一枚の表示装置であると錯覚する。本例では、近接位置にある各可動表示装置７Ａ、７Ｂの表示面は連続した平坦面となっているが、近接した端縁を離間させたり、Ｖ字状に交差させるようにしてもよい。
【００１１】
一方、図２（ｃ）（ｄ）の状態においては、各可動表示装置７Ａ、７Ｂは観音開き状に左右（横方向）に離反して分離した状態となる。この離反状態となった各可動表示装置の表面には近接状態において２つの可動表示装置に跨って表示されていた画像Ｖを分割した画像Ｖ１、Ｖ２を表示し続けても良いし、新たな別個の画像を夫々表示するようにしてもよい。
各可動表示装置７Ａ、７Ｂを所定の移動経路に沿って進退させるための駆動機構３０の構成は種々選択可能である。
本例では、遊技盤３に形成した開口部６の奥側に凹んだ空所２０を設け、この空間内に各可動表示装置７Ａ、７Ｂを配置し、空所２０の底面板２１、及び天面板２２に駆動機構３０を配置する。
【００１２】
駆動機構３０は、図３に詳細を示す如く、底面板２１、及び天面板２２に夫々設けた左右対称形状のガイドスリット３１、及び３７、３８と、各可動表示装置７Ａ、７Ｂの下部及び上部に夫々設けられて各ガイドスリット３１、及び３７、３８内に夫々遊嵌するピン３３、３４と、天面板２２の上側に配置されたモータ等を含んだ駆動ユニット４０と、を備えている。
各可動表示装置７Ａ、７Ｂに設けたピン３３、３４は、各ガイドスリット３１、及び３７、３８内に沿って移動する過程で各可動表示装置７Ａ、７Ｂを、図２（ａ）（ｂ）に示した近接位置と、（ｃ）（ｄ）に示した離反位置との間で安定して進退させることができる。
各可動表示装置７Ａ、７Ｂと接続する信号線、電力線は、各可動表示装置７Ａ、７Ｂの動作に追従し得るように構成する。
【００１３】
図３（ａ）（ｂ）及び（ｃ）は駆動機構を構成する駆動ユニット４０の構成及び動作手順を示している。
この駆動ユニット４０は、天面板２２の上面に配置されており、駆動源としてのモータ４１、及びモータ４１の駆動力を各可動表示装置７Ａ、７Ｂに伝達する伝達機構４５と、を備えている。
天面板２２には、各可動表示装置７Ａ、７Ｂの上部に設けたピン３４ａ、３４ｂが夫々嵌合して移動するガイドスリット３７、３８が一対ずつ左右対称に配置されている。
伝達機構４５は、モータ４１の出力軸に固定したピニオンギヤ４６と、天面板２２に設けたガイドスリット２２ａにより進退自在に支持され且つピニオンギヤ４６と噛合してピニオンギヤの回転により矢印方向へ直線的に進退する略Ｔ字形状のラックギヤ部材４７と、天面板２２に設けた２つの軸部４８によって中間部を夫々回動自在に軸支された２つのリンク片４９と、ラックギヤ部材４７の一端部に設けられて各リンク片４９に設けたピン４９ａを遊嵌させる長穴４７ａと、各リンク片の他端部寄りに形成されピン３４ａを嵌合する長穴４９ｂと、一端を各リンク片の一端部寄りに固定されると共に他端部を天面板２２の適所に固定されて各リンク片を前方へ付勢することにより各可動表示装置７Ａ、７Ｂを適正な姿勢に保持するコイルバネ５０と、を有している。
各リンク片４９は各ピン３４ａを介して各可動表示装置７Ａ、７Ｂの適所と連結されており、各リンク片４９によって各可動表示装置７Ａ、７Ｂを駆動させる。
【００１４】
ピニオンギヤ４６の開放方向への回転によってラックギヤ部材４７が図３（ａ）のように奥方向へ移動すると、各リンク片４９は軸部４８を中心として矢印方向へ回動するため、ピン３４ａはガイドスリット３７に沿って奥方へ移動する。このため、各可動表示装置７Ａ、７Ｂは図２（ｃ）（ｄ）に示した離反位置に達する。逆に、ピニオンギヤ４６が閉止方向へ回転すると、ラックギヤ部材４７は（ｂ）の中間状態を経て（ｃ）の後方向へ移動し、各リンク片４９は軸部４８を中心として矢印方向へ回動するため、ピン３４ａはガイドスリット３７に沿って奥方へ移動する。このため、各可動表示装置７Ａ、７Ｂは図２（ａ）（ｂ）に示した近接位置に達する。
なお、図示説明した駆動ユニット４０の構成は一例に過ぎず、各可動表示装置７Ａ、７Ｂを近接位置と離反位置との間で進退させることができる構成であればよい。
また、各可動表示装置７Ａ、７Ｂを同時に動作させる必要はなく、個別に動作させるように構成してもよい。この場合の駆動機構は、各可動表示装置毎に個別に設ければよい。
また、一方の表示装置を固定とし、他方の表示装置のみを動作させるように構成しても良い。
【００１５】
本発明の他の特徴は、空所２０の奥部に他の表示装置（固定表示装置）６０を配置し、各可動表示装置７Ａ、７Ｂが図２（ａ）（ｂ）に示した近接位置にあるときに各可動表示装置の背面側に他の表示装置６０が隠蔽状態となり、図２（ｃ）（ｄ）に示した開放した離反状態（開放状態）にあるときに他の表示装置６０の表示面を前面から視認できるように露出させた構成にある。
更に、他の表示装置６０を前後方向、その他の方向へ進退自在に構成してもよい。
このように本実施形態では、複数に分割された可動表示装置を個別、或いは連動して動作させるばかりでなく、可動表示装置間の間隙奥部に他の表示装置６０を配置したので、各可動表示装置に表示された画像と、各可動表示装置間に配置された他の表示装置上に表示された画像との協働によって多様な演出を実現することができる。
特に、可動表示装置７Ａ、７Ｂと他の表示装置６０とによってワイドスクリーン（ワイド画面）を構築できるため、ダイナミックな映像を表出して遊技上の雰囲気作りに貢献することができる。
【００１６】
次に、図４は本発明の他の実施形態に係る画像表示装置７の構成、及び動作を示す側部縦断面図である。
図４の実施形態に係る各可動表示装置７Ａ、７Ｂは、遊技盤面に沿って上下方向へ進退自在に支持され、各可動表示装置は対向する端縁同志を近接させた近接位置と、上下方向に離反した離反位置との間を進退自在に構成されている。
各可動表示装置７Ａ、７Ｂは下端部及び上端部を夫々空所２０の底面板２１、及び天面板２２に夫々設けたヒンジ部２１Ａ、２２Ａによって上下方向へ回動自在に軸支されている。
或いは、図３に示した駆動機構と同様な構成の駆動機構によって、各可動表示装置を上下方向へ開閉するように構成してもよい。
更に、空所２０の奥部には他の表示装置６０を配置して、離反状態にある可動表示装置間に形成される間隙から露出させて前方から表示内容を視認可能に構成している。
斜めに開放した各可動表示装置７Ａ、７Ｂと他の表示装置６０とによりワイド画面を形成してダイナミックな映像を表出し、遊技中の雰囲気を高揚させることができる。
【００１７】
次に、図５は本発明の他の実施形態に係る画像表示装置の構成を示す正面図である。
この画像表示装置７は、密集した近接位置と、該近接位置から放射方向に離反した離反位置との間を進退自在に構成された少なくとも３個、本例では４個の可動表示装置７Ａ〜７Ｄから構成されている。
各可動表示装置７Ａ〜７Ｄは、密集した近接位置においては連続した大面積の画像表示装置を構成する一方で、各可動表示装置７Ａ〜７Ｄが対角線方向へ退避した場合には夫々離反した位置関係となる。
各可動表示装置を個別に動作させてもよい。
各可動表示装置７Ａ〜７Ｄを進退させるための駆動機構としては、遊技盤等に設けた各スリット７０内に各可動表示装置に設けたピン７１を嵌合させることによって各可動表示装置を対角線方向（放射方向）へ進退自在に構成するとともに、モータによって各可動表示装置を駆動する。モータからの駆動力は図示しないギヤ、ワイヤ等を用いて各可動表示装置に伝達する。
この画像表示装置７の背面側、即ち各可動表示装置７Ａ〜７Ｄの背面側（空所２０の奥部）に、図示しない他の表示装置（固定表示装置）を配置し、各可動表示装置が離反位置にあるときに他の表示装置が前方から視認可能となるように構成する。
【００１８】
次に、本実施形態の画像表示装置を利用した遊技演出例について説明する。なお、本実施形態では２個の表示装置７Ａ、７Ｂから構成した分割型の画像表示装置７を例に挙げて説明する。
図６は、本実施形態の画像表示装置を利用して図柄変動の演出を行った場合の表示態様の一例を示した図である。
画像表示装置７を利用して図柄変動の演出を行う場合は、画像表示装置７の各可動表示装置７Ａ、７Ｂを近接位置に配置して一体化した状態で、図６（ａ）に示すように、画像表示装置７に３つの図柄を表示する。そして、図６（ｂ）に示すように、３つの図柄のうち２つの図柄が揃ってリーチが発生すると、近接位置に配置されていた可動表示装置７Ａ、７Ｂを左右方向に離反して、図６（ｃ）に示すように、左側の可動表示装置７Ａに左図柄、右側の可動表示装置７Ｂに右図柄をそれぞれ表示し、可動表示装置７Ａ、７Ｂが一体化した状態のときは背面側に隠蔽状態にあった固定表示装置６０に最後に停止する中図柄を表示して図柄演出を行う。
【００１９】
図７は、本実施形態の画像表示装置を利用してリーチ演出を行った場合の表示態様の一例を示した図である。
画像表示装置７を利用してリーチ演出を行う場合は、画像表示装置７の各可動表示装置７Ａ、７Ｂを近接位置に配置して一体化した状態で、画像表示装置７に３つの図柄を表示する。そして、図７（ａ）に示すように、３つの図柄のうち２つの図柄が揃ってリーチが発生すると、画像表示装置７の画像が図７（ｂ）に示すような画像、例えばスタートゲートの画像とを表示する。この後、スタートゲートが空いて馬がゲートから飛び出すタイミングで以って、可動表示装置７Ａ、７Ｂを左右方向に離反して、図７（ｃ）に示すように、各可動表示装置７Ａ、７Ｂの背面側に隠蔽状態にあった固定表示装置６０を露出して、これら３つの表示装置を用いて競馬場全体を写すような画像を表示すると共に、馬が右側の可動表示装置７Ｂから左側の可動表示装置７Ａに向かって走るような画像表示を行う。
そして、図７（ｄ）に示すように、馬が左側の可動表示装置７Ａの左端に達したタイミングで以って、図７（ｅ）に示すように画像表示装置７の各可動表示装置７Ａ、７Ｂを一体化して、ゴール前の最後の直線画像を表示した後、画像表示装置７に大当たり結果を表示する。例えば、大当たりに当選している場合は、図８（ａ）に示すような「勝利」を表す演出画像を表示した後、図８（ｂ）に示すような大当たり図柄画像の表示を行う。一方、大当たりに当選していない場合は、図８（ｃ）に示すような「敗北」を表す演出画像を表示した後、図８（ｄ）に示すようなハズレ図柄画像の表示を行う。
【００２０】
以上のように本発明では、複数個の表示装置を、遊技盤上を異なった移動経路に沿って移動させるように構成したので、遊技内容に意外性を発揮させたり、角度、姿勢を異ならせた表示装置を利用して立体的な映像を作出することができる。
特に、本発明では、複数の表示装置の位置関係を異ならせることができるので、従来のように平面的な同一表示面上において画像データを種々操作する場合とは異なり、立体感と、多様性と意外性を有した演出を実現することができ、更に制御プログラム等の装置構成を簡略化してコストダウンを図ることができる。
また、近接位置においては一枚の表示装置としか見えないにも拘わらず、遊技の進行中に表示装置が複数に分割し、しかも各可動表示装置上の表示内容を工夫することにより、バリエーションに富んだ遊技内容を演出することが可能となる。
更に、複数に分割された表示装置を個別、或いは連動して動作させるばかりでなく、表示装置間の間隙奥部に他の表示装置を配置し、可動表示装置の離反時に他の表示装置が遊技盤前方から視認できるようにしたので、各可動表示装置に表示された画像と、可動表示装置間に配置された他の表示装置にとの協働によって多様な演出を実現することができる。
なお、本発明の分割型可動画像表示装置に用いる表示装置としては、液晶表示装置、リアプロジェクタ、その他、任意の表示装置を採用することができる。
本発明の分割型可動画像表示装置、或いは本発明の分割型可動画像表示装置を備えた遊技盤は、パチンコ遊技機のみならず、スロットマシン、その他、表示装置を有した遊技機、ゲーム機一般に適用することができる。
【図面の簡単な説明】
【００２１】
【図１】本発明の実施形態に係るパチンコ遊技機の一例を示した全体正面図である。
【図２】（ａ）及び（ｂ）は本発明の画像表示装置（分割型可動画像表示装置）の閉止状態における概略構成を示す正面図、及び平面図であり、（ｃ）及び（ｄ）は開放状態における概略構成を示す正面図、及び平面図である。
【図３】（ａ）（ｂ）及び（ｃ）は駆動機構を構成する駆動ユニットの構成及び動作手順を示した図である。
【図４】本発明の他の実施形態に係る分割型可動画像表示装置の側部縦断面図である。
【図５】本発明の他の実施形態に係る分割型可動画像表示装置の正面図である。
【図６】（ａ）（ｂ）及び（ｃ）は本実施形態の画像表示装置を利用して大当たりラウンド演出を行った場合の表示態様の一例を示した図である。
【図７】（ａ）乃至（ｅ）は本実施形態の画像表示装置を利用してリーチ演出を行った場合の表示態様の一例を示した図である。
【図８】（ａ）乃至（ｄ）は本実施形態の画像表示装置を利用してリーチ演出を行った場合の表示態様の一例を示した図である。
【符号の説明】
【００２２】
１…パチンコ遊技機、３…遊技盤、３ａ…遊技領域、４…皿部、５…発射レバー、６…開口部、７…画像可動表示装置、７Ａ、７Ｂ…表示装置、８…可変入賞装置、９…ステージ部、１１…始動入賞口、１３…ゲート、１４…大入賞口、１５…アウト口、２０…空所、２１…底面板、２１Ａ、２２Ａ…ヒンジ部、２２…天面板、２２ａ…ガイドスリット、３０…駆動機構、３１…ガイドスリット、３３…ピン、３４ａ、３４ｂ…ピン、３７…ガイドスリット、４０…駆動ユニット、４１…モータ、４５…伝達機構、４６…ピニオンギヤ、４７…ラックギヤ部材、４７ａ…長穴、４８…軸部、４９…リンク片、４９ａ…ピン、４９ｂ…長穴、５０…コイルバネ、６０…他の表示装置、７０…スリット、７１…ピン
【図１】
2010029372.tif 000003
【図２】
2010029372.tif 000004
【図３】
2010029372.tif 000005
【図４】
2010029372.tif 000006
【図５】
2010029372.tif 000007
【図６】
2010029372.tif 000008
【図７】
2010029372.tif 000009
【図８】
2010029372.tif 000010